(57)【要約】【課題】  搬送される原稿の両面を読取可能な画像読取装置によって片面読取を実行する際に、原稿から読み取った画像データがカラー画像データであるか、モノクロ画像データであるかをより正しく判定する。【解決手段】  原稿搬送路を介して搬送される原稿における第１面の画像を読取可能な第１の読取手段によって読み取られた第１面における所定の領域の画像と、第１の読取手段とは原稿搬送路における読取位置とは異なる読取位置に設けられ、原稿における第１面とは異なる第２面の画像を読取可能な第２の読取手段によって読み取られた第１面における所定の領域とは異なる領域の画像に、カラー画像が含まれるか否かに従って、原稿がカラー原稿であるか否かを判定する。【選択図】  図２
2011166510.tif 000002
【特許請求の範囲】
【請求項１】
原稿搬送路を介して搬送される原稿における第１面の画像を読取可能な第１の読取手段と、
前記第１の読取手段とは前記原稿搬送路における読取位置とは異なる読取位置に設けられ、前記原稿における第１面とは異なる第２面の画像を読取可能な第２の読取手段と、
前記第１の読取手段によって読み取られた前記第１面における所定の領域の画像と、前記第２の読取手段によって読み取られた前記第１面における所定の領域とは異なる領域の画像にカラー画像が含まれるか否かに従って、前記原稿がカラー原稿であるか否かを判定する判定手段と、
を有することを特徴とする画像読取装置。
【請求項２】
前記第１の読取手段は、前記原稿の前記第１面によって反射された光を読み取り、前記第２の読取手段は、前記原稿の前記第１面を透過した光を読み取ることを特徴とする請求項１に記載の画像読取装置。
【請求項３】
前記所定の領域とは異なる領域は、前記所定の領域よりも原稿搬送方向における先端部または後端部に位置することを特徴とする請求項１または２に記載の画像読取装置。
【請求項４】
前記第２の読取手段によって前記原稿を読み取る際に前記原稿に対して光を照射する光源部を有し、
前記第２の読取手段は、前記光源部により前記原稿に照射された光を読み取ることにより原稿の情報を読み取り、
前記光源部は、前記第２の読取手段が前記原稿の前記第１面を透過した光を読み取る際に前記原稿に対して照射する光量を、前記第２の読取手段が前記原稿の第２面を読み取る際に前記原稿に対して照射する光量よりも、大きくすることを特徴とする請求項１乃至３のいずれか１項に記載の画像読取装置。
【請求項５】
前記光源部は、前記第２の読取手段が前記所定の領域とは異なる領域を読み取る期間以外の期間には前記原稿に対して照射する光量を下げることを特徴とする請求項４に記載の画像読取装置。
【請求項６】
前記所定の領域は、前記原稿の搬送に起因した読取異常が発生する領域であることを特徴とする請求項１乃至５のいずれか１項に記載の画像読取装置。
【請求項７】
原稿搬送路を介して搬送される原稿における第１面の画像を読取可能な第１の読取部によって前記第１面の画像を読み取る読取工程と、
前記第１の読取部とは前記原稿搬送路における読取位置とは異なる読取位置に設けられ、前記原稿における第１面とは異なる第２面の画像を読取可能な第２の読取部によって前記第２面の画像を読み取る手段と、
前記第１の読取部によって読み取られた前記第１面における所定の領域の画像と、前記第２の読取部によって読み取られた前記第１面における所定の領域とは異なる領域の画像にカラー画像が含まれるか否かに従って、前記原稿がカラー原稿であるか否かを判定する判定工程と、
を有することを特徴とする画像読取装置の制御方法。
【請求項８】
請求項７に記載の画像読取装置の制御方法を、コンピュータに実行させるためのプログラム。
【発明の詳細な説明】
【技術分野】
【０００１】
本発明は、画像読取装置、画像読取装置の制御方法、及びプログラムに関する。
【背景技術】
【０００２】
従来、読み取った原稿に対応する画像データが彩色を有するカラー画像データであるか、モノクロ画像データであるかを判定する画像読取装置がある。画像読取装置は、このような判定を行うことによって、画像データの種類に応じた画像処理に用いるパラメータを用いることができるため、取り扱う画像の高画質化を図ることができる。
【０００３】
また、従来、原稿載置部に載置された原稿を搬送し、搬送される原稿の画像を読み取る画像読取装置がある。このような画像読取装置の中には、原稿の両面（表面および裏面）の画像を１回の搬送工程で読み取る両面読取機能を有するものもある。このような画像読取装置によれば、表面のための搬送工程、及び、裏面のための搬送工程の、計２回の搬送工程に分けて原稿を読み取る必要がなく、原稿の搬送時間を抑えることができる。
【０００４】
例えば、特許文献１には、両面原稿の読取センサを、表面と対向する位置及び裏面と対向する位置にそれぞれ１つずつ設け、１回の搬送工程で原稿の両面の画像を読み取る構成が示されている。
【先行技術文献】
【特許文献】
【０００５】
【特許文献１】特開２００１−３２０５５７号公報
【発明の概要】
【発明が解決しようとする課題】
【０００６】
しかしながら、原稿を搬送しつつ読み取る画像読取装置は、原稿の表面を読み取る場合、原稿を湾曲した原稿搬送路を通過させた後に、原稿の表面の画像を読み取るため、原稿を搬送する際のブレ等により原稿の判定を正しく行えないことがある。
【０００７】
かかる課題が生じる具体例を、図１１（ａ）及び図１１（ｂ）に示した画像読取装置を用いて説明する。これは、原稿１０２を搬送ローラ１０９〜１１２により搬送し、読取ユニット１１４により読み取る装置である。原稿１０２の先端部が読取ユニット１１４の読取位置に到達した時点（図１１（ａ））においては、原稿１０２の先端部は大きく湾曲して搬送されている。また、この時点においては、搬送ローラ１１２は搬送に関与していないため、原稿１０２の搬送制御は、搬送ローラ１０９〜１１１によってのみ行われることとなる。また、原稿１０２の後端部の読み取りを行う時点（図１１（ｂ））においても原稿１０２は大きく湾曲している。また、搬送ローラ１０９が搬送制御から外れるため、搬送ローラ１１０〜１１２のみによる搬送となる。
【０００８】
この場合、原稿１０２の先端部及び後端部の読み取り時における搬送制御は、それ以外の領域の搬送時とは異なり、原稿１０２の搬送制御に予測の難しいブレやゆがみが発生する。
【０００９】
したがって、この時点での読み取り画像データは画素単位で正しい読み取り値とならない可能性がある。
【００１０】
特に、読み取りデバイスをＣＣＤデバイスとした場合、各色成分の読み取りライン位置は同一でないため、色成分に対応したセンサのライン間を補正しても、該当画素の各成分の読み取り値を正しく構成できない場合がある。
【００１１】
このように、原稿の１面を１つの読取センサで読み取る場合、当該読取センサの配設位置と原稿の搬送経路の湾曲形状に起因して、当該センサでは原稿の表面に含まれる所定の領域の色情報を正しく読み取れない可能性がある。所定の領域とは、例えば、原稿の搬送方向における先端部及び後端部である。
【００１２】
仮に、表面読取部で読み取られる原稿の先端方向に位置する所定の領域をカラー判定対象領域としないことも考えられるが、その場合、所定の領域にカラー画素が含まれている場合に、原稿がカラー原稿であると正しく判定されない場合がある。例えば、原稿の所定の領域以外の領域がモノクロ画像である場合が挙げられる。
【００１３】
そこで、本発明では、搬送される原稿の両面を読取可能な画像読取装置によって片面読取を実行する際に、原稿から読み取った画像データがカラー画像データであるか、モノクロ画像データであるかをより正しく判定することを目的とする。
【課題を解決するための手段】
【００１４】
かかる課題を解決するために、本発明にかかる画像読取装置は、原稿搬送路を介して搬送される原稿における第１面の画像を読取可能な第１の読取手段と、第１の読取手段とは原稿搬送路における読取位置とは異なる読取位置に設けられ、原稿における第１面とは異なる第２面の画像を読取可能な第２の読取手段と、第１の読取手段によって読み取られた第１面における所定の領域の画像と、第２の読取手段によって読み取られた第１面における所定の領域とは異なる領域の画像にカラー画像が含まれるか否かに従って、原稿がカラー原稿であるか否かを判定する判定手段と、を有することを特徴とする。
【発明の効果】
【００１５】
本発明によれば、搬送される原稿の両面を読取可能な画像読取装置によって片面読取を実行する際に、原稿から読み取った画像データがカラー画像データであるか、モノクロ画像データであるかをより正しく判定することができる。
【図面の簡単な説明】
【００１６】
【図１】本発明の実施例にかかる画像読取装置の構成を示す図
【図２】本発明の実施例にかかる原稿のカラー判定を行う処理回路の構成図
【図３】本発明の実施例にかかる原稿の読取処理動作を示す図
【図４】本発明の実施例にかかるＣＩＳ読取ユニット１０６の読取動作処理を示すフローチャート
【図５】本発明の実施例にかかるＣＣＤ読取ユニット１１４の読取動作処理を示すフローチャート
【図６】本発明の実施例にかかるカラー判定領域の決定処理とカラー判定処理を示すフローチャート
【図７】本発明の実施例にかかるカラー判定領域の決定処理とカラー判定処理を示すフローチャート
【図８】本発明の実施例にかかる原稿の最終的なカラー判定の処理を示すフローチャート
【図９】本発明の実施例にかかる光源の光量制御を示す図
【図１０】本発明の実施例にかかる原稿搬送の状態を示した図
【図１１】本発明の実施例にかかる原稿搬送の状態を示した図
【図１２】本発明の実施例にかかる原稿搬送の状態を示した図
【図１３】本発明の実施例にかかる両面読み取り時におけるカラー判定を行う原稿の領域を示す図
【図１４】本発明の実施例にかかる片面読み取り時におけるカラー判定を行う原稿の領域を示す図
【発明を実施するための形態】
【００１７】
本発明を実施するための形態にかかる画像読取装置について、図面を用いて詳述する。
【００１８】
＜実施例１＞
本実施形態にかかる画像読取装置の例を図１に示す。
【００１９】
図１に示す画像読取装置は、原稿の表面と裏面を１回の搬送工程で読み取る両面読取機能を有し、原稿の表面または裏面の画像がカラー画像であるかモノクロ画像であるかを判定する原稿カラー判定を実施する。
【００２０】
本実施例にかかる画像読取装置は、読取対象の原稿を読み取るための２つの読み取り用センサを備え、それぞれ表面、裏面に対向する位置に配設されている。また、本実施例にかかる画像読取装置は、片面読取モードと両面読取モードの２つの読取モードを有している。
【００２１】
両面原稿を読み取る両面読み取りモードにおいては、一方のセンサ（ＣＩＳ読取ユニット１０６）で原稿の裏面を読み取り、もう一方のセンサ（ＣＣＤ読取ユニット１１４）で原稿の表面を読み取る。すなわち、それぞれのセンサは原稿の情報を読み取る読取部として機能する。また、画像読取装置は、原稿の表面と裏面の、それぞれの面が彩色を有するカラー原稿であるか彩色を有しないモノクロ原稿であるか否かの判定を行う。
【００２２】
これに対して、片面原稿を読み取る片面読み取りモードにおいて、画像読取装置は、一方のセンサ（ＣＩＳ読取ユニット１０６）が原稿の表面の先端部と後端部の裏写りした画像を裏面側から読み取る。そして、もう一方のセンサ（ＣＣＤ読取ユニット１１４）が原稿の表面を表面側から読み取る。また、ＣＩＳ読取ユニット１０６が取得した先端部と後端部の画像データは彩色を有するか否かのカラー判定に用いられる。ＣＣＤ読取ユニット１１４が取得した画像データは、原稿のデジタル化に利用されるとともに、先端部と後端部以外の部分についてカラー判定を行うために用いられる。
【００２３】
画像読取装置は、２つのカラー判定の結果を元に、原稿がカラー原稿であるか否かを判定する構成となっている。
【００２４】
また、画像読取装置が読み取った画像は、画像読取装置が有する不図示のＨＤＤに記憶され、その後、不図示の表示部に表示したり、ネットワークを介して外部の装置に送信したりすることができる。なお、画像読取装置が、プリンタ等の印刷装置と接続されている場合には、画像読取装置が読み取った画像を、印刷装置に送信して印刷できるようにしてもよい。
【００２５】
なお、ここでいう彩色を有するカラー原稿とは、所定の値の以上彩色を有する原稿を言い、１画素でも彩色を有する場合には必ずカラー原稿とする、という限定を意味しない。
【００２６】
以下、まず画像読取装置の構成について説明する。その後、本発明にかかる片面読取モードの処理を行わない場合の問題点について触れ、その後動作処理の詳細を説明する。
【００２７】
（画像読取装置の構成の説明）
図１（ａ）は本発明にかかる画像読取装置の機械的な構成を示した図である。
【００２８】
１００は、読取装置であり載置された原稿１０２を１ページづつ搬送路に従って搬送し、原稿の内容を読み取るＡＵＴＯ  Ｄｏｃｕｍｅｎｔ  Ｆｅｅｄｅｒ（以下、ＡＤＦと称する）と呼ばれる装置である。
【００２９】
読取装置１００の各要素は、後述する制御部１２０と電気的に接続されており、読取装置１００の動作はこの制御部１２０により制御される。
【００３０】
読取装置１００は、以下の要素により構成される。１０１は、装置に載置された原稿１０２の原稿載置部である。ユーザはこの原稿載置部１０１に原稿１０２を置き、読取装置１００はこの原稿１０２を装置内に搬送して原稿の画像情報を取得する。
【００３１】
１０２は、原稿載置部１０１に載置された原稿であり、通常は図１の上向きが表面となるように載置される。原稿１０２に記載された図や文字列等の内容は読取装置１００に画像データとして取得され、取得された原稿画像データはカラー判定処理の対象となる。
【００３２】
１０３は、読み取り装置１００における原稿１０２の搬送路（原稿搬送路）であり、原稿１０２はこの経路に沿って移動する。搬送路１０３は、多くの場合読み取り装置の小型化や機械構成等に起因して曲線的に構成される。原稿１０２はこの湾曲した搬送路１０３上を移動することとなる。
【００３３】
１０４は原稿給紙ローラであり、原稿載置部１０１に載置された原稿１０２を、１枚づつピックアップして搬送路１０３上に乗せるためのものである。１０５は、原稿画像データの先端及び後端を検知するセンサであり、原稿１０２が搬送路１０３上で搬送される際、原稿１０２の原稿搬送方向における先端がセンサ位置に到達した時点、および原稿１０２の後端がセンサ位置を通過した時点を検出する。検出信号は、レベル信号、あるいは割り込み信号として、読取装置の全体を制御する制御装置（以下、制御部と称する）に通知される。読取装置１００における制御部１２０との電気的な接続関係は図１（ｂ）を用いて後述する。
【００３４】
１０６は、ＣＩＳ読取ユニットであり、原稿１０２の裏面からの光を読み取り、情報として取得するものである。ＣＩＳ読取ユニット１０６は密着型イメージセンサ（以下、ＣＩＳ：Ｃｏｎｔａｃｔ  Ｉｍａｇｅ  Ｓｅｎｓｏｒと称する）で構成される。ＣＩＳ読取ユニット１０６は先述のとおりＡＤＦ内部であって、原稿の裏面が反射した光を読み取る位置に配設されており、任意の時刻において後述するＣＣＤ読取ユニット１１４とは原稿の読み取り位置が異なるように構成されている。ＣＩＳ読取ユニットは搬送される原稿１０２の幅方向のラインを読み取るラインセンサであり、画像読取装置１００がＡ４の大きさの原稿に対応していれば、Ａ４の原稿を読取可能な幅方向の長さを有する。
【００３５】
１０７は、ＣＩＳ読取ユニット１０６による読み取りに必要となる光を供給する光源であり、原稿に対してＣＩＳ読取ユニット１０６と同じ裏面側に配設されている。光源１０７はＣＩＳによる読み取りに対応して発光ダイオード（以下、ＬＥＤと称する）により構成される。光源１０７は、ＣＩＳ読み取りユニット１０６が読み取りを行う際に原稿に対して光を照射し、ＣＩＳ読取ユニット１０６は当該光であって原稿１０２の裏面によって反射された光を読み取る。１０８は、ＣＩＳ読取ユニット１０６の基準レベルを取得するために使用する白板であり、読取装置における読み取り値の基準として、厳密に管理されたものが貼り付けられている。ＣＩＳ読取ユニット１０６により原稿の色情報を読み取る際には、ＬＥＤの光源色を赤、青、緑と変えて色情報を読み取ることとなる。また、ＣＩＳ読み取りユニット１０６は、光源１０７の光量を強くして、原稿を透過した光を読み取ることができる。この光は、光源１０７によって発生され、白板１０８によって反射され、原稿を透過してＣＩＳ読み取りユニット１０６によって読み取られる。
【００３６】
１０９、１１０、１１１、および１１２は、原稿１０２を搬送路１０３に沿って搬送するための搬送ローラである。各搬送ローラが制御部１２０の制御により同期して作動することで、原稿１０２は順次ＣＩＳ読取ユニット１０６及びＣＣＤ読取ユニット１１４の各読み取り位置へと搬送される。これを別の視点で見ると、搬送ローラ１０９〜１１２により、搬送路１０３に沿った移動経路によって原稿１０２とＣＩＳ読取ユニット１０６及びＣＣＤ読取ユニット１１４が相対的に移動することとなる。これにより、ＣＩＳ読取ユニット１０６またはＣＣＤ読取ユニット１１４は読み取り位置を通過した原稿１０２の１面を読み取ることができる。
【００３７】
１１３は、ガラス板であり、ＡＤＦによる読み取りを行わない場合、原稿１０２がユーザにより載置される台である。
【００３８】
１１４は、ＣＣＤ読取ユニットであり、原稿１０２を、表面を上として、原稿載置部１０１に載置した場合、搬送され読み取り位置に達した原稿１０２の表面を読み取り、情報として取得するものである。ＣＣＤ読取ユニット１１４は、ガラス板１１３の下であって、原稿１０２の表面からの光であって表面が反射した光を読み取る位置に配設される。ＣＣＤ読取ユニット１１４は赤、青、緑に対応した３ラインのセンサとなっており、光源部１１５は、白色光を原稿に対して照射し、各ラインセンサは各色成分を読み取る。これにより、ＣＣＤ読取ユニット１１４による原稿の色情報が取得される。
【００３９】
１１６は、ＣＣＤ読取ユニット１１４の基準レベルを取得するために使用する白板であり、読み取り装置構成における読み取り値の基準として、厳密に管理されたものが使用される。１１７は、排紙ローラであり、読み取りが完了した原稿１０２を、排紙トレー１１８に出力するものである。
【００４０】
次に、読取装置１００の電気的構成について図１（ｂ）を用いて述べる。読取装置１００の各要素は、制御部１２０と電気的に接続されている。制御部１２０は、装置内の各要素からの通知を受け取るとともに、指令を送ることができ、制御部１２０は読取装置１００の各要素の動作実行指示を行う主体として機能する。各要素は制御部１２０の動作開始指示により動作が開始され、制御部１２０が当該各要素に対して送信したパラメータによって動作し、制御部１２０の動作終了指示によって動作が終了する。また、制御部１２０にはカラー判定及び光源の制御等を行う処理回路１２１が接続され、光源１０７及び１１５はこの処理回路１２１に接続されている。
【００４１】
制御部１２０の内部にある不図示のメモリには、後述する図３〜８に記載の処理を実行するために必要な、制御部１２０及び処理回路１２１を制御するプログラムが格納されている。このプログラムが展開され、制御部１２０の中央処理装置により実行されることにより、制御部１２０及び処理回路１２１が機能し、図３乃至図８の処理が実行されることとなる。
【００４２】
処理回路１２１は、ＣＩＳ読取ユニット１０６及びＣＣＤ読取ユニット１１４から読み取られた原稿１０２の原稿画像データに基づいて、原稿１０２が彩色を有するカラー原稿であるか、モノクロ原稿であるかの判定を行う。また処理回路１２１は、制御部１２０の指示に応じて、読取装置１００が原稿を読み取る際に光源１０７及び１１５の点灯、消灯及び光量の制御を行う。更に処理回路１２１は、ＣＩＳ読取ユニット１０６及びＣＣＤ読取ユニット１１４が原稿１０２から読み取った原稿画像データを、電子文書として不図示のＨＤＤに格納する、または、印刷のために不図示の画像形成プロセスへと送る。これら格納や印刷は、後述する操作部１２２によってユーザから受け付けた指示に従って、制御部１２０によって実行される。一旦、ＨＤＤに格納した画像データを、操作部１２２を介して受け付けたユーザの指示に従って、ＨＤＤから読み出して印刷できるようにしてもよい。
【００４３】
１２２は、ユーザが読み取り開始動作の指示、及び原稿が片面原稿であるか両面原稿であるかを入力することができる操作部である。操作部１２２は，例えばタッチパネルで構成され、画面に表示されるボタンやアイコンをユーザが選択することにより、当該選択情報が制御部１２０に入力され、読取開始、片面原稿であるか両面原稿であるかの設定が行われる。片面原稿であるか両面原稿であるかの設定は、不図示のメモリに格納される事となる。
【００４４】
上述の制御部１２０及び処理回路１２１を用いた、本発明にかかる原稿画像データのカラー判定処理を行う判定処理部の構成について図２を用いて説明する。
【００４５】
本発明において、制御部１２０は、片面原稿の読み取りに際して、原稿１０２の１面を複数の領域に分割する。そして、制御部１２０は、該分割された複数の領域のうち少なくとも１つに対して、ＣＩＳ読取ユニット１０６とＣＣＤ読取ユニット１１４を選択的に適用させてカラー判定を行う。また、制御部１２０は、両面原稿に対しては、ＣＩＳ読取ユニット１０６で裏面を読み取り、ＣＣＤ読取ユニット１１４で表面を読み取り、それぞれの読み取り情報を元にカラー判定を行う。
【００４６】
図示された矢印で接続された回路の要素は結線され、所定の情報を乗せた電気信号が矢印の向きに伝わるように構成されており、また処理回路１２１の各部位は制御部１２０からの信号を受信できるように構成されている。
【００４７】
２０１は表面読み取りにおいて必要となる光源１１５の点灯制御を行う表面光源点灯制御部、２０２は、表面光源点灯制御部２０１が出力する光源点灯制御信号である。
【００４８】
２０３は、ＣＣＤ読み取りユニット１１４により読み取られた画像データである。２０４は、画像データ２０３を制御する表面入力画像データｉ／ｆ部である。２０５は表面画像処理部であり、白板１１６の読み取り値を基準とするシェーディング補正処理、読み取ったデバイス依存の色空間の画像データを、規格化された色空間（例えばｓＲＧＢ空間）の画像データに変換する処理等がある。２０６は、表面出力画像データｉ／ｆ部（インターフェース部）であり、表面画像処理部２０５により処理された画像データを順次出力する。出力された原稿画像データは、読取装置内のメモリに保持される。なお、複写動作時においては、記憶部から読み出され、複合機を構成する出力デバイス（記録デバイス：レーザービームプリンタ、インクジェットプリンタ）に準じた画像処理が施された後、印字媒体に出力される。電子文書化される際には、ＯＣＲ処理等の文字認識や画像処理が施された後、電子ファイルオブジェクトのデータが作成される。
【００４９】
２０７は、表面読み取り領域のカラー判定を行う表面読取領域原稿判定部であり、表面入力画像データｉ／ｆ部２０４の出力画像データ位置を参照し、カラー判定に用いる画像データ領域であるかの判定を行う。そして、カラー判定に用いる画像データを、画像データ２０８として出力する。２０９は表面原稿判定部であり、画像データ２０８に基づき、入力された画像データ２０８の全ての画素について、色差情報（彩度情報）を取得し、累積計数していく。その累積計数結果が制御部１２０により設定された所定値に達するか否かにより、画像データ２０８がカラーであるかモノクロであるかの判定を行う。
【００５０】
さらに、表面原稿判定部２０９は、片面読取モードで、２つのカラー判定結果を表面原稿判定部中のメモリに保持する。１つは、ＣＩＳ読取ユニット１０６を利用して原稿１０２の片面の所定領域を読み取った情報である画像データ２０８に基づくカラー判定結果である。もう１つは、ＣＣＤ読取ユニット１１４を利用して原稿１０２の片面の所定領域を読み取った情報である画像データ２１７に基づくカラー判定結果である。これは、片面読取の際には、当該片面（表面）をＣＩＳ読取センサ１０６とＣＣＤ読取センサ１１４の２つのセンサで読み取るためである。これに対して両面読取モードでは、ＣＣＤ読取ユニット１１４を利用して原稿１０２の片面の所定領域を読み取った情報である画像データ２１７に基づくカラー判定結果を不図示のメモリに保持する。この保持された判定結果を制御部１２０が参照し、原稿１０２が彩色を有するカラー原稿であるか否かを判定することとなる。
【００５１】
２１０は裏面読み取りにおいて必要となる光源１０７の点灯制御を行う裏面光源点灯制御部、２１１は表面光源点灯制御部４１０が出力する光源点灯制御信号である。
【００５２】
２１２は、ＣＩＳ読取ユニット１０６により読み取られた画像データ、２１３は、画像データ２１２を制御する裏面入力画像データｉ／ｆ部である。２１４は裏面画像処理部であり、白板１０８の読み取り値を基準とするシェーディング補正処理、読み取ったデバイス依存の色空間の画像データを、規格化された色空間の画像データに変換する処理等がある。２１５は、裏面出力画像データｉ／ｆ部であり、裏面画像処理部２１４により処理された画像データを順次出力する。
【００５３】
２１６は、裏面読み取り領域をカラー判定する裏面読取領域原稿判定部であり、裏面入力画像データｉ／ｆ部２１３の出力画像データ位置を参照し、カラー判定に用いる画像データ領域であるかの判定を行う。そして、カラー判定に用いる画像データを、画像データ２１７として出力する。片面読取の際には、ＣＩＳ読取ユニット１０６が原稿１０２の表面の先端部と後端部を判定に用いる画像データ領域とし、両面読取の際には、原稿１０２の裏面を判定に用いる画像データ領域とする。
【００５４】
裏面原稿判定部２１８は、画像データ２１７を参照し、当該入力された画像データ２１７の全ての画素について、色差情報（彩度情報）を取得し、累積計数していく。その累積計数結果が制御部１２０により設定された所定値に達するか否かによってカラーであるかモノクロであるかの判定を行う。２１９は、裏面原稿判定部２１８が出力し、カラーかモノクロかを示している判定信号であり、片面読取モードの際に表面原稿判定部２０９に対して出力される。片面読取モードでは判定信号２１９が出力されるが、両面読取モードにおいては、裏面原稿判定部２１８の判定結果は裏面原稿判定部２１８中のメモリに保持される。
【００５５】
上述の構成により実現される、本発明にかかる原稿の読み取り及びカラー判定処理について、制御の流れを示した図３乃至８と、原稿１０２の搬送状態を示した図１０〜図１２を用いて説明する。
【００５６】
（原稿の読み取り動作）
読取装置１００による読み取り処理を図３を用いて説明する。
【００５７】
図３に示すフローチャートの各ステップは、制御部１２０が有する不図示のＣＰＵが、制御部１２０内のメモリ（ＲＯＭ等）から読み出したプログラムを実行することによって行われる。
【００５８】
図３では、制御部１２０の指示に応じて原稿の搬送が開始され、それと平行してＣＩＳ読取ユニット１０６による読み取りと、ＣＣＤ読取ユニット１１４による読み取りが行われ、読み取られた内容に基づいてカラー判定が行われる。以下、各ステップについて説明する。
【００５９】
読取装置１００に原稿１０２が載置され、ユーザにより操作部１２２から読み取り動作の開始が指示されると、本発明装置の制御部１２０は読み取り制御を開始する。まず、制御部１２０は原稿の搬送の開始を指示する（Ｓ１０１）。
【００６０】
その後、制御部１２０は給紙ローラ１０４、搬送ローラ１０９，１１０，１１１，１１２を駆動させる。これにより、ローラは搬送路１０３に沿って原稿を搬送する（Ｓ１０４）。
【００６１】
それとともに、制御部１２０は、原稿１０２がＣＩＳ読取センサ１０６の読取開始位置に到達したことを端部検知センサ１０５によって認識する。
【００６２】
原稿１０２がＣＩＳ読取センサ１０６の読取開始位置に到達したことを認識すると、制御部１２０はＣＩＳ読取センサ１０６による読み取りの開始を指示し、ＣＩＳ読取センサ１０６が原稿の所定領域を読み取る（Ｓ１０５）。この動作については、図４を用いて後述する。
【００６３】
また、制御部１２０は、原稿１０２がＣＣＤ読取センサの読取開始位置に到達したことを端部検知センサ１０５によって認識する。原稿１０２がＣＣＤ読取センサの読取開始位置に到達すると、制御部１２０はＣＣＤ読取センサ１１４による原稿読み取りの開始を指示し（Ｓ１０３）、ＣＣＤ読取センサ１１４は原稿の所定領域を読み取る（Ｓ１０７）。この動作については、図５を用いて後述する。
【００６４】
Ｓ１０５にて読み取られた情報を元に、裏面読取領域判定部２１６は原稿のカラー判定を行うための判定領域を決定し、裏面原稿判定部２１８は当該カラー判定領域がカラーであるか、モノクロであるか否かの判定を行う（Ｓ１０６）。この動作については図６を用いて後述する。
【００６５】
また、Ｓ１０７にて読み取られた情報を元に、表面読取領域判定部２０７は原稿のカラー判定を行うための判定領域を決定し、表面原稿判定部２０９は、当該カラー判定領域がカラーであるか、モノクロであるかの判定を行う（Ｓ１０８）。この動作については図７を用いて後述する。
【００６６】
その後、Ｓ１０６の判定結果とＳ１０８の判定結果に基づいて、制御部１２０は、原稿１０２が彩色を有するカラー原稿であるか、モノクロ原稿であるか否かの判定を行う。この動作については、図８を用いて後述する。
【００６７】
次に、図３のＳ１０５にて行われる、ＣＩＳ読取センサ１０６による原稿の読取動作の詳細を、図４を用いて説明する。図４は、制御部１２０により制御される、ＣＩＳ読取ユニット１０６、および光源１０７の処理のフローチャートである。  図４に示すフローチャートの各ステップは、制御部１２０が有する不図示のＣＰＵが、制御部１２０内のメモリ（ＲＯＭ等）から読み出したプログラムを実行することによって行われる。
【００６８】
操作部１２２により、ユーザが指定した読み取り動作モードが片面読み取りモード（表面読み取り）の場合、制御部１２０は、片面読み取り制御を開始する（Ｓ２０１でＹＥＳ）。
【００６９】
制御部１２０は、給紙ローラ１０４に対して、原稿載置部１０１に載置された原稿１０２を搬送路１０３にピックアップする旨の指示を出す。給紙ローラ１０４は、指示を受け、原稿１０２を搬送路１０３にピックアップする。そして、原稿１０２の先端部が、ＣＩＳ読取ユニット１０６によって読み取りが行える読取開始位置まで、原稿１０２の搬送を行う（ステップＳ２０９、ステップＳ２１０）。
【００７０】
原稿載置部１０１に載置された原稿１０２は、給紙ローラ１０４によって、搬送路１０３にピックアップされる（図１０（ａ）参照）。
【００７１】
その後給紙ローラ１０４の駆動により、原稿１０２は、順次、搬送方向に搬送される。給紙ローラ１０４の駆動により、原稿１０２の先端部が端部検知センサ１０５に到達すると、端部検知センサ１０５は、制御部１２０に対して、原稿１０２が端部検知センサ１０５の位置まで到達したことを示す信号を出力する。状況を示しているのが図１０（ａ）である。
【００７２】
給紙ローラ１０４の駆動制御による原稿１０２の移動レベル（移動速度）は制御部１２０によるモータ駆動のステップ数によって定義される。つまり、制御部１２０は、原稿１０２が、端部検知センサ１０５に到達した後、どの程度モータを駆動させると、原稿１０２の先端部が、ＣＩＳ読取ユニット１０６の読み取り位置に到達するかを把握することができる。
【００７３】
制御部１２０は、給紙ローラ１０４の駆動により、原稿１０２の先端部が端部検知センサ１０５に到達したことを基準に、裏面光源点灯制御部４１０に対して、点灯制御開始指示を出す（ステップＳ２１１）。この指示により、所定ステップ駆動後に原稿１０２の先端部がＣＩＳ読取ユニット１０６の読み取り位置に到達した時点で、裏面用の光源１０７が点灯することとなる。なお、ステップＳ２１１における光源１０７の光量は、原稿１０２を両面で読み取る場合の裏面読み取り用の光量よりも大きくするように制御する。これは、ＣＩＳ読取ユニット１０６で読み取る対象を、原稿１０２の表面の先端部とすることであり、透過光による原稿画像データを確実に取得するためである。
【００７４】
なお、光量は、原稿画像データの紙質にも依存する。したがって、操作部１２２により指示された紙質に応じた値を最大光量として定めるものとする。
【００７５】
このように、裏面を読み取り対象とし、裏面からの反射光を受けて裏面の内容を読み取る読み取り手段を用いて、原稿の表面から裏面へ透過した光を読み取って表面の内容を読み取るため、読み取り手段を有効に活用してカラー判定を行うことが可能になる。
【００７６】
給紙ローラ１０４の駆動により、原稿１０２が、裏面読み取り位置に到達する（図１０（ｂ）参照）。このときから制御部１２０は、裏面画像データの読み取り制御を開始させる。
【００７７】
ＣＩＳ読取ユニット１０６は、光源１０７の光量の照射による画像データの読み取りを行う（ステップＳ２１２）。そして、搬送制御に同期した上で、原稿１０２の先端部の読み取りを継続して行う（ステップＳ２１３、ステップＳ２１４）。
【００７８】
ＣＩＳ読取ユニット１０６により読み取りを行う原稿１０２の先端部の範囲は、表面の読み取りを行うＣＣＤ読取ユニット１１４の読み取りにおいて、搬送制御により読み取った画像データが安定しない領域である。つまり、図１の構成を例にとれば、原稿１０２の先端部が、搬送ローラ１０９〜１１２によって、規則的に搬送出来ない領域、例えば、搬送ローラ１１２から搬送ローラ１０９までの搬送路１０３上に準じて定められる領域となる。また、ここでいう原稿１０２の先端部とは、ＣＩＳ読取ユニット１０６内のラインセンサが読み取る１ラインと垂直な副走査方向に対する端部であり、原稿の搬送方向に対して先にくる部分を先端部としている。
【００７９】
制御部１２０は、該当する複数の搬送ローラの駆動制御により、原稿１０２の搬送速度を把握することができる。したがって、制御部１２０は、原稿１０２の先端部の読み取りが完了するまでの搬送制御指示を行った後、光源１０７の消灯指示を出す（ステップＳ２１５）。
【００８０】
以上のような制御により、ＣＩＳ読取ユニット１０６が、原稿１０２の表面先端部の読み取りを行うことができる。
【００８１】
制御部１２０は、以降順次、原稿１０２の搬送制御を行う。なお、制御部１２０は、原稿１０２の先端部が、搬送ローラ１０９〜１１１に到達した時点（到達するまでのステップ制御を実施した時点）で、各々関係する搬送ローラも使用して原稿１０２の搬送制御を行う。
【００８２】
制御部１２０は、光源１０７の消灯制御後も、該当する複数の搬送ローラを用いて、原稿１０２の搬送制御を行う（ステップＳ２１６）。そして、原稿１０２の後端部が、ＣＩＳ読取ユニット１０６の読み取り開始位置に到達した時点（ステップＳ２１７）で、光源１０７を再度点灯させる指示を出す（ステップＳ２１８）。Ｓ２１７における読取開始位置に到達したか否かの判断は、端部検知センサ１０５が先端部を検知してから予め定められた所定ステップ駆動が行われたかにより判断される。なお、後端部における光源１０７の点灯による光量に関しても、原稿１０２の両面読み取り時の光量よりも大きな値とする。好適には先端部の読み取りを行った場合の光量と同じ値とする。
【００８３】
ＣＩＳ読取ユニット１０６は、光源１０７の光量の照射による画像データの読み取りを行う（ステップＳ２１９）。そして、搬送制御に同期した上で、原稿１０２における所定の後端部の読み取りを継続して行う（ステップＳ２２０、ステップＳ２２１）。
【００８４】
ＣＩＳ読取ユニット１０６により読み取りを行う原稿１０２の後端部の範囲は、表面の読み取りを行うＣＣＤ読取ユニット１１４の読み取りにおいて、搬送制御により読み取った画像データが安定しない領域である。つまり、図１の構成を例にすれば、原稿１０２の先端部が、搬送ローラ１０９〜１１２による規則的な搬送が実行出来ない領域、例えば、搬送ローラ１１２から搬送ローラ１０９までの距離に準じた領域となる。また、ここでいう原稿１０２の後端部とは、ＣＩＳ読取ユニット１０６内のラインセンサが読み取る１ラインと垂直な副走査方向に対する端部であり、原稿の搬送方向に対して後ろにくる部分を後端部としている。
【００８５】
制御部１２０は、該当する複数の搬送ローラの駆動制御により、原稿１０２の搬送速度を把握することができる。したがって、制御部１２０は、原稿１０２の後端部の読み取りが完了するまでの搬送制御指示を行った後、後端部の読み取りを終了し光源１０７の消灯指示を出す。
【００８６】
一方、操作部１２２を通じて指定された読み取り動作モードが両面読み取りの場合、制御部１２０は、両面読み取りの制御を開始する（Ｓ２０１でＮＯ）。この場合制御部１２０は、給紙ローラ１０４に対して、原稿１０２を搬送し、ＣＩＳ読取ユニット１０６の開始位置まで原稿を搬送する指示を出す（ステップＳ２０３でＮＯ）。給紙ローラ１０４は、指示を受け、原稿１０２の原稿搬送を行う（ステップＳ２０２）。
【００８７】
原稿１０２が、ＣＩＳ読取ユニット１０６の読み取り位置に到達すると（ステップＳ２０３でＹＥＳ）、制御部１２０は原稿１０２の画像データの取り込み制御を行う。具体的には、第１の読み取りユニット用の光源１０７の点灯制御を行う裏面光源点灯制御部２１０に対して点灯指示を行う（ステップＳ２０４）。
【００８８】
光源１０７の点灯制御により、原稿１０２の反射光がＣＩＳ読取ユニット１０６に入力される。そして、ＣＩＳ読取ユニット１０６に構成したセンサデバイスにより、電気信号に変換されて出力される（ステップＳ２０５）。
【００８９】
制御部１２０から各部に出力される指示により、以降も継続して、原稿読み取り制御が行われる（ステップＳ２０５、ステップＳ２０６、ステップＳ２０７）。原稿１０２の後端部が端部検知センサ１０５を通過すると（図１１（ｂ）参照）、端部検知センサ１０５は、原稿１０２の後端部が通過したことを示す信号を制御部１２０に対して出力する。制御部１２０は、端部検知センサ１０５の出力信号を受信すると、制御部１２０は、原稿１０２の裏面の読み取り制御を、端部検知センサ１０５の位置から、裏面読み取り位置までのライン数分に限定して行う。これは、原稿の後端部までを読み取り対象とするための処理である。この処理は、原稿１０２の裏面画像データを読み取る残りのライン数、および表面画像データを読み取る残りのライン数を記憶した制御部１２０が行う。
【００９０】
また、ＣＩＳ読取ユニット１０６による原稿１０２の裏面画像データの読み取り完了後、所定の時間経過あるいは所定の搬送制御を行った後、裏面画像データ読み取りのための光源１０７の消灯制御を行う。具体的には、裏面光源点灯制御部２１０に対して、消灯指示を出力する（ステップＳ２０８）。
【００９１】
次に、図３のＳ１０７にて行われる、ＣＣＤ読取ユニット１１４による原稿の読取動作の詳細を、図５を用いて説明する。図５は、ＣＣＤ読取ユニット１１４、および光源１１５の制御フローである。図５に示すフローチャートの各ステップは、制御部１２０が有する不図示のＣＰＵが、制御部１２０内のメモリ（ＲＯＭ等）から読み出したプログラムを実行することによって行われる。
【００９２】
原稿の読み取りが開始された後、原稿がＣＣＤ読取ユニット１１４の読み取り開始位置まで搬送される（Ｓ３０１）。ここで、給紙ローラ１０４の駆動制御による原稿１０２の移動レベル（移動速度）は制御部１２０によるモータ駆動のステップ数によって定義される。つまり、制御部１２０は、原稿１０２が、端部検知センサ１０５に到達した後、どの程度モータを駆動させると、原稿１０２の先端部が、ＣＣＤ読取ユニット１１４の読み取り位置に到達するかを把握することが出来る。
【００９３】
制御部１２０は、表面の読み取り制御のため、原稿１０２の先端部が、端部検知センサ１０５に到達したことを基準に、所定ステップ駆動後、読み取り開始準備のための光源１１５の点灯制御を行う（ステップＳ３０２、ステップＳ３０３）。
【００９４】
給紙ローラ１０４の駆動制御により、原稿１０２が、表面読み取り位置に到達した時点の状況を図１１（ａ）に示す。制御部１２０は、原稿１０２が、給紙ローラ１０４、搬送ローラ１０９〜１１１の搬送制御により、表面読み取り開始位置に到達する時点から、表面画像データの読み取り制御を開始させる（ステップＳ３０４、ステップＳ３０５）。
【００９５】
制御部１２０は、搬送ローラ１０９〜１１１及び、表面読み取り位置の後に存在する搬送ローラ１１２を使用して、原稿１０２の搬送制御を行う（Ｓ３０６）。また、同時に表面の画像データの読み取り制御も実施する。このときの状態を図１２（ａ）に示す。
【００９６】
図１２（ｂ）は、原稿１０２の後端部が、表面読み取り位置に到達した状態を示している。制御部１２０は、原稿１０２の後端部が、端部検知センサ１０５を通過した時点を基準として、表面の残りの読み取りライン数を把握しているため、この把握ライン分の搬送制御実施後の状態が図１２（ｂ）の状態となる。
【００９７】
図１２（ｂ）の状態による、原稿１０２の読み取り制御が完了すると、制御部１２０は、表面の読み取り制御を終了させる。また、制御部１２０は、表面の読み取り制御が完了した後、所定時間経過後、あるいは、所定ステップの搬送制御後に、表面の読み取り制御のための光源１１５の消灯制御を行う（ステップＳ３０７、ステップＳ３０８、ステップＳ３０９）。
【００９８】
（原稿読取時における光源の光量制御）
上述したＣＩＳ読取ユニット１０６及びＣＣＤ読取ユニット１１４のそれぞれに対応した光源１０７、１１５の光量の制御について、図９を用いて説明する。図９（ａ）は片面読み取り時（表面読み取り時）の、光源１０７の制御に関し、横軸に読み取り制御における経過時間、縦軸に光源１０７あるいは光源１１５の光量をとった場合の光量変動を示す図である。同図において、実線で示したものは、裏面読み取り用の光源１０７の光量変化を示し、破線で示したものは、表面読み取り用の光源１１５の光量変化を示す。更に、ｔ０〜Ｔ１１は、光源１０７あるいは光源１１５が変化する時点の時間を示す。また、Ｌ０’は光源１０７の光量の最大レベルを示し、Ｌ１は光源１１５の最大レベルを示す。なお、光源１０７の光量の最大値をＬ０’としているのは、両面読み取り時の光源１０７の最大光量Ｌ０と明確に区別するためである。
【００９９】
片面読み取り時には、光源部は、ＣＩＳ読取ユニット１０６が読み取り対象とする原稿の先端部及び後端部の領域を読み取る期間以外の期間には原稿に対して照射する光量を下げて（好適には光量を０にして）いる。以下、光量の制御を詳述する。
【０１００】
まずタイミングｔ０において、裏面用の光源１０７が点灯される（ｔ０：ステップＳ２１１が実行されたタイミング）。裏面の画像データの読み取りは、裏面用の光源１０７の光量が安定したタイミングｔ１により開始される（ｔ１：ステップＳ２１２がはじめて実行されるタイミング）。また、タイミングｔ２において、表面用の光源１１５が点灯される（ステップＳ３０３）。タイミングｔ３において、裏面用の光源１０７の消灯制御が実行され（ｔ３：ステップＳ２１５が実行されたタイミング）、裏面用のＣＩＳ読取ユニット１０６を使用した、原稿１０２の先端部の読み取りが終了する（ステップＳ２１５）。なお、裏面用の光源１０７が消灯するタイミングをｔ５とする。
【０１０１】
表面用のＣＣＤ読取ユニット１１４は、光源１１５の光量が安定したタイミング（ｔ４）から読み取りを行う（ステップＳ３０５）。光源１０７は、原稿１０２の後端部が、ＣＩＳ読取ユニット１０６の読み取り開始位置に到達したタイミングｔ６で、再度点灯される（ｔ６：ステップＳ２１８が実行されたタイミング）。
【０１０２】
ＣＩＳ読取ユニット１０６は、光源１０７の光量が安定したタイミングｔ７により開始される（ｔ７：ステップＳ２１９がはじめて実行されるタイミング）。裏面用の光源１０７は、原稿１０２の後端部の画像データが、ＣＩＳ読取ユニット１０６により読み取られるまで点灯を続け、タイミングｔ８で消灯される（ステップＳ２２２が実行されるタイミング）。なお、光源１０７が消灯するタイミングをｔ９とする。
【０１０３】
ＣＣＤ読み取りユニット１１４による読み取りは、ＣＩＳ読取ユニット１０６による読み取りが完了した後も継続して行われる。そして、光源１１５は、原稿１０２の最終ラインの読み取りが行われた時点（ｔ１０）で消灯される（ステップＳ３０９）。なお、光源１１５が消灯するタイミングをｔ１１とする。
【０１０４】
図９（ａ）に示す通り、本発明装置においては、裏面用の光源１０７の点灯／消灯制御を２回行っている。１回目の点灯は、原稿１０２の先端部の読み取りを行うためであり、２回目の点灯は、原稿１０２の後端部の読み取りを行うためである。なお、原稿１０２の搬送は、開始時間ｔｓを起点として、排紙ローラ１１７から原稿１０２の後端が離れるまで継続的に行われるものである。
【０１０５】
また、光源１０７の光量と光源１１５の光量は、明確に差がつくものである。これは、光源１０７の点灯時間で読み取る対象画像を、原稿１０２の表面の画像データとしていることに起因している。つまり、通常の裏面読み取り時よりも光量を上げることにより、透過光による原稿読み取りを行う。
【０１０６】
例えば、図１４（ａ）に示す画像データを読み取った場合、図１４（ｂ）に示すように読み取られる。図１４（ｂ）に示す通り、原稿１０２の先端部および後端部に関しては、光源１０７を点灯させ、且つ、光量を上げていることにより、原稿画像データの表面の画像データの読み取りを行うことが出来る。透過光による読み取りであっても、カラー画像データであれば、カラー画像として認識可能なレベルで読み取りを行うことが可能であるため、画像のカラー判定に用いることが出来る。なお、領域１３０２に関しては、光源１０７を消灯させている領域であるため、透過した原稿画像データを読み取ることはないことを示している。
【０１０７】
更に、原稿画像データの両面読み取り時における、光源１０７、および光源１１５の点灯制御に関して図９（ｂ）を用い説明する。Ｔ０〜Ｔ７は、光源１０７あるいは光源１１５が変化する時点の時間を示す。また、Ｌ０は光源１０７の光量の最大レベルを示し、Ｌ１は光源１１５の最大レベルを示す。
【０１０８】
両面読み取りが開始されると（Ｔｓ：読み取り開始タイミング）、まずタイミングＴ０において、裏面用の光源１０７が点灯される（Ｔ０：ステップＳ２０３が実行されたタイミング）。裏面の画像データの読み取りは、裏面用の光源１０７の光量が安定したタイミングＴ１により開始される（Ｔ１：ステップＳ２０５がはじめて実行されるタイミング）。
【０１０９】
また、タイミングＴ２において、表面用の光源１１５が点灯される（Ｔ２：ステップＳ３０３が実行されたタイミング）。表面の画像データの読み取りは、表面用の光源１１５の光量が安定したタイミングＴ３により開始される（Ｔ３：ステップＳ３０５がはじめて実行されるタイミング）。
【０１１０】
以降、光源１０７および光源１１５の光量を一定に保った状態で、原稿１０２の読み取り制御を行う。タイミングＴ４は、裏面の読み取りが終了したタイミングを示す（Ｔ４：ステップＳ２０７検知タイミング）。また、タイミングＴ５は、裏面用の光源１０７を消灯させたタイミングを示す（Ｔ５：ステップＳ２０８が実行されたタイミング）。
【０１１１】
タイミングＴ６は、表面の読み取りが終了したタイミングを示す（Ｔ６：ステップＳ３０７検知タイミング）。また、タイミングＴ７は、裏面用の光源１１５を消灯させたタイミングを示す（Ｔ７：ステップＳ３０９が実行されたタイミング）。
【０１１２】
なお、図９（ｂ）においては、光源１０７と光源１１５の光量の最大をＬ０、Ｌ１とし、Ｌ０とＬ１に差分（Ｌ０＞Ｌ１）をもたせて示したが、必ずしも裏面読み取り用の光源１０７の光量が大きいわけではない。光源１０７および光源１１５の光量の最大値は、原稿画像データ１０２に照射した際に、読み取りを行わない面の画像データが、透過光等の影響により読み取りを行う側の読み取りユニットに入力されない範囲として定めるものである。
【０１１３】
（カラー判定動作）
次に、ＣＩＳ読取ユニット１０６により読み取られた原稿画像データのカラー判定処理について、図６を用いて説明する。図６に示すフローチャートの各ステップは、制御部１２０が有する不図示のＣＰＵが、制御部１２０内のメモリ（ＲＯＭ等）から読み出したプログラムを実行することによって行われる。処理の概要は次のとおりである。
【０１１４】
まず両面読取モードの場合には、ＣＩＳ読取ユニット１０６で読み取られた裏面の原稿画像データのうち、先端部及び後端部はカラー判定に用いないよう、裏面読取領域原稿判定部２１６が制御部１２０によって制御される。また、制御部１２０の指示に応じて、裏面原稿判定部２１８が先端部及び後端部を除いてカラー判定を行う。片面読取モードでは、ＣＩＳ読取ユニット１０６は裏写りした原稿の表面について、原稿の先端部と後端部に限定して読み取るよう、制御部１２０により裏面読取領域原稿判定部２１６が制御される。また、制御部１２０の指示に応じて、裏面原稿判定部２１８は先端部及び後端部のカラー判定を行う。これらの処理により、原稿先端部および後端部の、搬送制御に起因した原稿判別の誤判定の影響を改善している。なぜならば、裏面を読み取るためのＣＩＳ読取ユニット１０６の読取位置は、搬送ローラ１０９〜１１２によるブレや、ゆがみの影響を受けずに画像を読み取ることができるため、ＣＣＤ読取ユニット１１４の読み取りよりも安定した画像が得られるためである。
【０１１５】
操作部１２２によりユーザが入力した読み取り動作モードが、両面読み取りであると制御部１２０に判定された場合（ステップＳ４０１でＮＯ）、制御部１２０は、原稿載置部１０１に載置された原稿１０２の搬送指示を、関係する構成部に対して出力する。搬送指示により、給紙ローラ１０４、あるいは関係する搬送ローラは搬送制御を開始する。
【０１１６】
制御部１２０により、原稿１０２は搬送路１０３上を搬送され、電気信号に変換された裏面の画像データが、ＣＩＳ読取ユニット１０６から出力される（ステップＳ４０２）。
【０１１７】
裏面の読み取り画像データが入力されると、制御部１２０の指示に応じて、裏面読取領域原稿判定部２１６は、原稿判定を行う画像データの領域であるか否かを判定する（ステップＳ４０３）。判定領域に達したことを検知後、入力画像データを、後段の裏面原稿判定部２１８に対して出力する。
【０１１８】
先述のとおり、図１に示すように搬送経路が湾曲した画像読取装置ではＣＣＤ読取ユニット１１４の読取位置において、原稿の先端部と後端部で搬送の乱れが生じ、読取制御における色ずれが起こる。このため、原稿表面の読み取り時において、原稿画像の先端部、及び後端部に関しては、表面原稿判定部２０９に入力されない構成をとっている。
【０１１９】
この処理は制御部１２０の指示に応じ表面読取領域原稿判定部２０７によって行われる。図１３に、表面読取領域原稿判定部２０７による領域判別例を示す。図１３において、横方向は原稿画像データの主走査方向を示し、縦方向は原稿画像データの副走査方向を示している。１２０１は、原稿画像データであり、網掛けで示した１２０２は、表面読取領域原稿判定部２０７により、後段の読み取り表面原稿判定部２０９に出力される領域を示している。
【０１２０】
１２０３は、表面読取領域原稿判定部２０７が表面原稿判定部２０９に出力しない先端画素数を示しており、原稿読み取り制御における先端部の範囲が相当する。１２０４は、表面読取領域原稿判定部２０７が表面原稿判定部２０９に出力しない後端画素数を示しており、原稿読み取り制御における後端部の範囲が相当する。
【０１２１】
なお、図１３においては、１２０５、１２０６として、原稿の左右端のマスク領域を示している。これは、搬送制御による色ずれの影響を避けるためではなく、読み取り原稿自体にパンチ穴等がある場合や、原稿読み取り時に発生する左右端部の影の影響を避けるためである。
【０１２２】
裏面原稿判定部２１８は、制御部１２０の指示に応じ、入力される画像データを、画素単位で彩色であるか否かの判定を行い（ステップＳ４０４）、その判定結果を累積計数する（ステップＳ４０５）。
【０１２３】
そして、原稿判定を行う全ての画像データの入力が完了するまで、搬送制御に同期して入力される画像データに対して同様の処理を行う（ステップＳ４０６でＮＯ、ステップＳ４０７）。判定領域に属する画像データの判定が終了すると（ステップＳ４０６でＹＥＳ）、読み取った裏面の原稿画像データの属性、すなわちカラー原稿／モノクロ原稿を判定し（ステップＳ４０８）、その判定結果を保持する（ステップＳ４０９）。
【０１２４】
一方、読み取り動作モードが、片面読み取りモード（表面読み取り）である場合（ステップＳ４０１でＹＥＳ）、制御部１２０は原稿載置部１０１に載置された原稿１０２の搬送指示を、関係する構成部に対して出力する。搬送指示により、給紙ローラ１０４、あるいは搬送ローラは搬送制御を開始する。
【０１２５】
搬送制御により、原稿１０２は、搬送路１０３上を搬送される。制御部１２０による、所定位置での光源１０７の点灯制御指示によって、ＣＩＳ読取ユニット１０６から、電気信号に変換された画像データが出力される（ステップＳ４１０）。
【０１２６】
裏面読取領域原稿判定部２１６は、入力される原稿画像データの先端部、及び後端部のみを後段の裏面原稿判定部２１８に対して出力する。つまり、この領域は、先述のとおり、原稿の搬送速度が安定しない、原稿１０２の表面の、先端部、あるいは後端部の領域であり、原稿の表面が裏写りした画像情報を含んでいる。
【０１２７】
制御部１２０により制御された裏面読取領域原稿判定部２１６により、入力される画像データが先端判定開始領域と判断されると、以降の画像データは後段の裏面原稿判定部２１８に出力される（ステップＳ４１１）。
【０１２８】
裏面原稿判定部２１８は、制御部１２０の指示に応じ、入力される画像データに対し、画素単位で彩色であるか否かの判定を行い（ステップＳ４１２）、その判定結果を累積計数する（ステップＳ４１３）。そして、原稿のカラー判定を行う先端部の画像データの入力が完了するまで、搬送制御に同期して入力される画像データに対して同様の処理を行う（ステップＳ４１４、ステップＳ４１５）。判定領域に属する画像データの判定が終了すると（ステップＳ４１４でＹＥＳ）、裏面読取領域原稿判定部２１６は再度入力画像データのマスク処理を開始する。
【０１２９】
裏面読取領域原稿判定部２１６は、搬送制御に同期して入力される画像データが後端の判定開始領域に到達したことを検知すると、再び、入力画像データを裏面原稿判定部２１８に対して出力する（ステップＳ４１６、ステップＳ４１７）。
【０１３０】
裏面原稿判定部２１８は、再び入力される画像データに対し、画素単位で彩色であるか否かの判定を行い（ステップＳ４１８）、その判定結果を先端部の累積結果に加算する形で計数する（ステップＳ４１９）。そして、原稿判定を行う後端部の画像データの入力が完了するまで、搬送制御に同期して入力される画像データに対して同様の処理を行う（ステップＳ４２０、ステップＳ４２１）。
【０１３１】
判定領域に属する画像データの判定が終了すると（ステップＳ４２１でＹＥＳ）、読み取った原稿画像データの属性、すなわちカラー原稿／モノクロ原稿を判定する（ステップＳ４２２）。そして、その判定結果を表面原稿判定部２０９に対し、判定結果信号２１９として出力する（ステップＳ４２３）。
【０１３２】
次に、図７を用いて、ＣＣＤ読取センサ１１４から得られた画像データのカラー判定を行う、表面原稿判定部２０９の判定処理制御に関して説明する。図７に示すフローチャートの各ステップは、制御部１２０が有する不図示のＣＰＵが、制御部１２０内のメモリ（ＲＯＭ等）から読み出したプログラムを実行することによって行われる。処理の概要は次のとおりである。
【０１３３】
読み取り動作が開始されると、制御部１２０は、給紙ローラ１０４に対し、原稿画像データ１０２の給紙を指示する。給紙ローラ１０４は、原稿載置部１０１に載置された原稿画像データ１０２を搬送路１０３にピックアップする。
【０１３４】
原稿画像データ１０２は、給紙ローラ１０４、および関係する搬送ローラによって搬送される。原稿搬送制御によって、原稿１０２が読み取り位置まで搬送され、原稿画像データが入力されると（ステップＳ５０１）、原稿判定に用いる画像データかどうかの判定が行われる（ステップＳ５０２）。すなわち、表面の読み取りであれば表面読取領域原稿判定部２０７によって、入力される読み取り画像データを後段の表面原稿判定部２０９に出力するかの判定が行われる。この判定は、片面読取モードの場合には、先述の通り原稿の先端部を除いた領域（領域１２０２）であるか否かにより決定される。
【０１３５】
原稿判定に使用する画像データ領域である場合（ステップＳ５０２でＹＥＳ）、表面読取領域原稿判定部２０７は、制御部１２０の指示に応じ、入力画像データを判定に用いる画像データ２０８として出力する。表面原稿判定部２０９は、入力される画像データを用いて判定を行う。つまり、入力される画素単位の属性を判定し（ステップＳ５０３）、その判定結果を累積計数する（ステップＳ５０４）。
【０１３６】
表面原稿判定部２０９は、制御部の指示に応じて、表面読取領域原稿判定部２０７を介して入力される画像データ全てに対して、判定制御を繰り返し行う（ステップＳ５０５、ステップＳ５０６）。
【０１３７】
表面読取領域原稿判定部２０７が出力する全ての画像データを用いた判定制御が終了すると（ステップＳ５０６でＹＥＳ）、表面原稿判定部２０９は入力原稿画像データの判定を行い、判定結果を保持する（ステップＳ５０７、ステップＳ５０８）。その後、片面読取モードの場合には（Ｓ５０９）、裏面原稿判定部２１８から判定信号２１９が表面原稿判定部２０９に対して出力される（ステップＳ５１０）。
【０１３８】
制御部１２０による最終的なカラー原稿判定に関して説明する。図８は、原稿１０２の読み取りが完了した時点における、制御部１２０の処理フローを示したものである。図８示すフローチャートの各ステップは、制御部１２０が有する不図示のＣＰＵが、制御部１２０内のメモリ（ＲＯＭ等）から読み出したプログラムを実行することによって行われる。処理の概要は次のとおりである。
【０１３９】
原稿１０２の両面画像データを読み取る場合、制御部１２０は読み取り画像データの取得が完了した時点で、読み取りモードに応じた制御を実施する（ステップＳ６０１）。両面読み取りの場合、制御部１２０は、各判定部が各々保持したカラー判定結果を参照する。具体的には、表面原稿判定部２０９の判定結果を参照し（ステップＳ６０２）、表面の原稿の画像が彩色を有するか否かを決定する（ステップＳ６０３）。次に裏面原稿判定部２１８の判定結果を参照し（ステップＳ６０４）、裏面の原稿の画像が彩色を有するか否かを決定する（ステップＳ６０５）。制御部１２０によって決定された判定結果は、各々、原稿画像データの後段画像処理部のパラメータ選択等に用いられる。
【０１４０】
片面読み取り（表面読み取り）の場合、制御部１２０は、表面原稿判定部２０９が保持する判定結果を参照する（ステップＳ６０６）。具体的には、表面原稿判定部２０９の判定結果を参照し、表面の原稿の画像が彩色を有するか否かを決定する。表面原稿判定部２０９は、片面読み取り時（表面読み取り時）の裏面原稿判定部２１８による判定結果を反映したものとなっている。
【０１４１】
したがって、制御部１２０は、表面原稿判定部２０９が保持する原稿判定結果を参照して、最終的な片面原稿画像データのカラー判定を行う（ステップＳ６０７）。
【０１４２】
なお、制御部１２０は、原稿の画像に彩色の画素が含まれる場合、その原稿はカラー原稿であると判定し、原稿の画像に彩色の画素が含まれない場合、その原稿はカラー原稿ではなくモノクロ原稿であると判定する。
【０１４３】
なお、制御部１２０によって決定された判定結果は、原稿画像データの後段画像処理部のパラメータ選択等に用いられる。
【０１４４】
上記制御により、片面読み取り時（表面読み取り時）の機械的制約による、読み取り画像データが安定しない領域の画像データの取り込みを、裏面の原稿画像データを読み取る読み取りユニットを使用して行うことが出来る。
【０１４５】
以上、本実施例にかかる読取装置の構成及び動作によれば、片面読み取り時において、裏面読み取りユニットを使用し、表面読み取りユニットでは読取異常が発生する部分の画像データを読み取ることにより、判定の精度が向上する。また、裏面読み取りユニットにより読み取りを行う領域に限定して、光源の点灯制御を行い、また、その光量を原稿画像データの紙質に準じて調整することにより、過剰な電力消費を抑えることを可能としている。
【０１４６】
また、本実施例においては片面原稿の読み取り時に、裏面に対向するＣＩＳ読み取りセンサ１０６を用い、表面の先端部及び後端部の読み取り対象として読み取っている。これに限らず、表面の全面を読み取り対象としてＣＩＳ読み取りセンサ１０６により読み取ってもよい。
【０１４７】
また本実施例では、表面読み取り用の光源の点灯制御、および裏面読み取り用の光源の点灯制御を、その点灯位置、あるいは光量の制御を適正に行うことによりカラー原稿であるか否かの判定を行う点を特徴としている。よって、原稿判定の手法に関しては、色差成分を抽出して画素単位の判定を累積計数することに依存するものではなく、その他の方法を利用することも可能である。
【０１４８】
また、本実施例においては白黒で構成されたモノクロ原稿であるか、彩色を有するカラー原稿であるかの判別を行うが、本発明の適用範囲はこれに限らず、白と青で構成された原稿であるか、その他の彩色を有する原稿であるか否かの判別等にも用いることができる。その際には、読み取った画像情報を輝度成分と色差成分に分解する方法や、ＲＧＢの各色の強度により画素単位の判別を行うことが考えられる。
【０１４９】
（その他の実施形態）
なお、先述の実施例では、原稿のカラー判定処理、及びカラー判定に用いる原稿中の領域の決定処理は、処理回路１２２の表面原稿判定部２０９、裏面原稿判定部２１８、表面読取領域原稿判定部２０７、裏面読取領域原稿判定部２１６等により実行されている。本発明の実施形態はこれに限らず、制御１２０中の中央処理装置が、制御部１２０中のメモリに記憶された図６または図７の処理を実行するためのプログラムを展開して実行することによっても実現可能である。例えば図６のステップＳ４０３〜Ｓ４０６、Ｓ４０８、Ｓ４１１〜Ｓ４１４、Ｓ４１７〜Ｓ４２０、Ｓ４２２、図７のステップＳ５０２〜Ｓ５０５、Ｓ５０７、Ｓ５１０の処理であり、これらの各ステップの実行主体は制御部１２０中の中央処理装置となる。
【０１５０】
なお本発明は、本実施例にて実施態様として挙げられた表面読み取りセンサと裏面読み取りセンサを有する画像読取装置以外の装置にも適用可能である。その例としては、例えば図１において裏面用の読み取りセンサを有しない画像読取装置が考えられる。この場合、ＣＣＤ読取ユニット１１４にて表面の先端部と後端部以外の領域を読み取った後、排紙ローラ１１７及び搬送ローラ１０９〜１１２を逆回転させ、原稿を逆向きに搬送させ、原稿１０２の後端部をＣＣＤ読取ユニット１１４により読み取ることが考えられる。
【０１５１】
この場合、読み取りは同一のＣＣＤ読取ユニット１１４で行われるが、読み取りユニット１１４を通過する際の、原稿１０３の移動経路が異なる。例えば図１において、排紙ローラ１１７及び搬送ローラ１１２、１１１にかけての搬送路１０３の一部は搬送ローラ１０９、１１０，１１１にかけての搬送路１０３の一部ほど湾曲していない。搬送に起因する読み取り異常を少なくとも原稿１０２の後端部については改善することができる。
【０１５２】
また、その他の例としては、２つの読み取りユニットが原稿の表面と対向する位置に配設されているような場合である。この場合にも、原稿の有る領域に対して、より読み取り異常がおきにくい読み取りユニットを利用して原稿読み取りを行うことにより、搬送に起因する読み取り異常を改善することができる。
【０１５３】
また、本発明の片面原稿として、原稿の片面には読み取り対象の情報が存在し、もう一方の面は白紙である場合には更に判定精度の向上につながる。もちろん、裏面に記載がある片面原稿だとしても、本発明の適用を妨げない。
【０１５４】
なお、本装置の一部が外部装置に含まれ、それら複数の装置からなる原稿読取システムとしてもよい。
【０１５５】
上述した実施例においては、原稿台に原稿をセットした状態で、上方向を向いている面を表面（第１面の例）として説明した。この場合、表面の画像（第１面の画像）は、ＣＣＤ読取センサ１１４（第１の読取部）によって読み取られる。また、原稿台に原稿をセットした状態で、下方向を向いている面を裏面（第２面の例）として説明した。この場合、裏面の画像（第２面の画像）はＣＩＳ読取ユニット１０６（第２の読取部）によって読み取られる。また、光源部の光の光量を上げることによって、表面を透過した光も、ＣＩＳ読取ユニット１０６（第２の読取部）によって読み取られる。
【０１５６】
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。
【０１５７】
本発明は上記実施形態に限定されるものではなく、本発明の趣旨に基づき種々の変形（各実施形態の有機的な組合せを含む）が可能であり、それらを本発明の範囲から除外するものではない。
【０１５８】
本発明の様々な例と実施形態を示して説明したが、当業者であれば、本発明の趣旨と範囲は、本明細書内の特定の説明に限定されるのではない。
【符号の説明】
【０１５９】
１０２  原稿
１０３  搬送路
１０４  給紙ローラ
１０５  端部検知センサ
１０６  ＣＩＳ読取ユニット
１０７  光源
１２０  制御部
１２１  処理回路
１２２  操作部
【図１】
2011166510.tif 000003
【図２】
2011166510.tif 000004
【図３】
2011166510.tif 000005
【図４】
2011166510.tif 000006
【図５】
2011166510.tif 000007
【図６】
2011166510.tif 000008
【図７】
2011166510.tif 000009
【図８】
2011166510.tif 000010
【図９】
2011166510.tif 000011
【図１０】
2011166510.tif 000012
【図１１】
2011166510.tif 000013
【図１２】
2011166510.tif 000014
【図１３】
2011166510.tif 000015
【図１４】
2011166510.tif 000016